(57)【特許請求の範囲】
【請求項１】
挿入部の先端の先端部本体に設けられた流体供給口に装着され、観察窓に向かって開口されたノズルを有する内視鏡において、
少なくとも前記先端部本体の外周と前記流体供給口とを貫通する貫通孔と、
前記貫通孔における前記流体供給口の内面側の空間に係合凹部を形成するよう前記貫通孔を封鎖する前記貫通孔に設けられた封鎖部材と、
前記ノズルに設けられた、前記係合凹部に係合し前記ノズルの前記挿入部の先端方向への抜けを防止するとともに、前記係合凹部との係合を、前記封鎖部材を押し下げて解除することにより前記ノズルを前記流体供給口から取り外し可能な爪部と、
を具備していることを特徴とする内視鏡。
【請求項２】
前記貫通孔に雌ネジが形成されており、前記封鎖部材は、前記雌ネジに螺合された雄ネジであることを特徴とする請求項１に記載の内視鏡。
【請求項３】
前記封鎖部材は、シート状の弾性部材から構成されていることを特徴とする請求項１に記載の内視鏡。
【発明の詳細な説明】
【０００１】
【発明の属する技術分野】
本発明は観察光学系を取り付けた観察窓に対向して流体を噴出するためのノズルを設けた内視鏡に関する。
【０００２】
【従来の技術】
従来の金属製のノズルは実公昭５８−２０２４６号公報に開示されているように、ノズルを外部よりビス等にて内視鏡先端部に機械的に固定されている。この場合、強固に固定されており、ノズル脱落の心配はない。
【０００３】
その他に、原価低減等の目的のために、ノズルを樹脂製にした場合、特開平６−２５４０３９号公報のように、ノズルに突起等を設け、ノズル自体の弾性変形によって内視鏡先端部に固定する方法が考えられる。この方法の方が前記したビス等による固定に比べ固定が簡単なのは明らかである。
【０００４】
このことは、前記明細書中にも記載されている。また、ノズルを取り外す際も、ノズルを回転させ、ノズルの係合を解除し、ノズルを抜去すればよいと記載がされている。
また、実公平７−３６６４２号公報にはノズルを回転させてノズルと内視鏡本体との係合部の解除を行うものが開示されている。
【０００５】
【発明が解決しようとする課題】
特開平６−２５４０３９号公報、実公平７−３６６４２号公報は、ノズルを回転させてノズルと内視鏡本体との係合を解除を行うが、このような解除を行う構成では、ノズルにかかる不意の外力によってノズルが外れる可能性がある。
この外力には、内視鏡の先端部の体腔壁への接触、洗滌、消毒等の取り扱い時の先端への衝撃等がある。
【０００６】
このことを防止するために、上述したように、ノズルをビス締めにて強固に固定する方法が考えられるが、ノズルは樹脂製のため破損してしまう危険性が十分にある。この場合には、前述した取付の簡略化の効果は皆無となる。
【０００７】
また、ビス固定では、固定時にノズルがビスの螺合と同調し、ビス先の螺合時の回転方向の力でノズル自体が回転してしまい、所望の向きに固定するのが難しいという欠点もある。
【０００８】
（発明の目的）
本発明は、上述した点に鑑みてなされたもので、外力によりノズルが外れることなく取り付けできるとともに、簡単に取り付けたノズルを取り外すことができ、しかも原価低減できる内視鏡を提供することを目的としている。
【０００９】
【課題を解決するための手段】
本発明の内視鏡は、挿入部の先端の先端部本体に設けられた流体供給口に装着され、観察窓に向かって開口されたノズルを有する内視鏡において、少なくとも前記先端部本体の外周と前記流体供給口とを貫通する貫通孔と、前記貫通孔における前記流体供給口の内面側の空間に係合凹部を形成するよう前記貫通孔を封鎖する前記貫通孔に設けられた封鎖部材と、前記ノズルに設けられた、前記係合凹部に係合し前記ノズルの前記挿入部の先端方向への抜けを防止するとともに、前記係合凹部との係合を、前記封鎖部材を押し下げて解除することにより前記ノズルを前記流体供給口から取り外し可能な爪部と、を具備していることを特徴とする。
【００１０】
【発明の実施の形態】
以下、図面を参照して本発明の実施の形態を説明する。
（第１の実施の形態）
図１ないし図５は本発明の第１の実施の形態に係り、図１は第１の実施の形態の内視鏡の外観を示し、図２は挿入部の先端部の構成を示し、図３は図２におけるノズル付近の構造を拡大して示し、図４は図３において、治具で押圧してノズルを取り外す様子を断面図で示し、図５は先端部本体を把持してノズルを取り外す作業の様子を示す。
【００１１】
図１に示すように、本発明の第１の実施の形態の内視鏡１は細長の挿入部２を有し、この挿入部２の後端には太径の操作部３が形成され、この操作部３からユニバーサルコード４が延出されている。このユニバーサルコード４の先端に設けたコネクタ部５を図示しない光源装置に着脱自在で接続することができる。
【００１２】
上記挿入部２は先端側から順に硬質の先端部６と、湾曲自在の湾曲部７と、可撓性を有する可撓管部８とが連設されており、可撓管部８の後端は折れ止めを介して操作部３に接続されている。
【００１３】
また、操作部３の先端側には把持部９が設けられ、この把持部９の後端側には湾曲部７の湾曲操作を行う上下湾曲操作ノブ１１ａ、左右湾曲操作ノブ１１ｂと、送気送液機能を制御する送気・送水ボタン１２、吸引機能を制御する吸引ボタン１３とが設けられており、さらに後端には映像記録等を遠隔的に操作するスイッチ１４が設けられている。
【００１４】
また、把持部９の前端付近には鉗子等の処置具を挿入する鉗子口（処置具口）１５が設けられている。この鉗子口１５には鉗子栓１６が着脱自在で取り付けられる。
【００１５】
また、コネクタ部５は前方にライトガイド口金１７と送気口金１８とが突出し、光源装置に接続された場合にはライトガイド口金１７には光源装置内のランプからの照明光が供給され、送気口金１８には光源装置内の送気ポンプから気体が供給される。
【００１６】
このコネクタ部５の側部には電気コネクタ１９が設けてあり、図示しないケーブルコネクタを接続して信号処理を行うビデオプロセッサに接続できるようにしている。また、このコネクタ部５の基端寄りの外周面には端子部２０と吸引口金３０とが突設されている。
【００１７】
図２に示すように先端部６を構成するほぼ円柱形状で金属製で硬質の先端部本体２１はその先端面及び先端外周面を覆うように絶縁性の先端カバー２２が取り付けられている。この先端部本体２１の後端外周面には湾曲部７を構成する最先端の湾曲駒２３がろう付け等で固着され、その外周を網管２４を介して湾曲ゴムチューブ２５で覆い、この湾曲ゴムチューブ２５の先端は先端部本体２１の外周面で糸巻き等で固着されている。
【００１８】
先端部本体２１にはその軸方向に観察窓２６を形成する孔が設けられ、この観察窓２６は先端カバー２２部分では小径となり第１のレンズ枠２７ａを介して対物レンズ系（観察光学系）２８の第１レンズ２８ａが固定ネジ２９で取り付けられている。
【００１９】
この第１のレンズ枠２７ａには、対物レンズ系２８の第２レンズ２８ｂ以降のレンズ系を取り付けた第２のレンズ枠の先端側が絶縁部材３１を介して固定され、この第２のレンズ枠の後端側には図示しない撮像素子を内蔵した撮像ユニット３２が連結固定されている。
【００２０】
この撮像ユニット３２内の撮像素子等に一端が接続されたケーブル３３が撮像ユニット３２の後端から延出され、挿入部２内等を挿通されたこのケーブル３３の他端はコネクタ部５の電気コネクタ１９の接点に至る。
【００２１】
また、先端部本体２１には観察窓２６に隣接して設けた照明窓３４に照明レンズ３５が照明レンズ枠３９を介して取り付けられている。また、この照明レンズ枠３９には、照明レンズ３５の内側にライトガイド３６の先端部が口金３７を介して固定されており、このライトガイド３６で伝送した照明光を照明レンズ３５で拡開して前方に出射し、体腔内の患部等の観察部位を照明する。
この口金３７の後端にはライトガイド３６を覆って保護する保護チューブ３８の先端が固着されている。
【００２２】
また、先端部本体２１には観察窓２６に隣接して先端カバー２２に連通するように透孔を設けて送気送水口４０を形成し、この送気送水口４０の先端側の拡径部分にはノズル４１の基端が挿入されて固定され、この送気送水口４０の後端には口金４２が後方に突出ように固着され、送気送水チューブ４３の先端が固着されて流体が流れる通路としての送気送水管路４４が形成されている。
【００２３】
このノズル４１の先端の流体を噴き出す開口としての噴出口４１ａは観察窓２６に取り付けられた第１レンズ２８ａの外表面に対向する方向を向くようにして固定されている。そして、このノズル４１は送気送水チューブ４３を経て送気送水口４０側に送り込まれる（供給される）空気や水を観察窓２６に取り付けられた対物レンズ系２８の第１レンズ２８ａの外表面に向けて噴出口４１ａから噴出し、その観察窓２６の表面を洗滌等することができるようにしている。
【００２４】
このノズル４１は、例えばポリサルホンやフッ素樹脂等の樹脂製で形成されている。このノズル４１は切削加工であっても、或いは成形によって作成されてもよい。
上記送気送水チューブ４３は挿入部２内を挿通され、操作部３の送気送水ボタン１２を介してコネクタ部５の送気口金１８及び図示しない送水口金と連通している。
【００２５】
また、先端部本体２１には吸引口４５（図１参照）が設けられており、この吸引口４５はその後端に固定されるチャンネルパイプを介して吸引チューブと連通している。
【００２６】
次に本実施の形態の主要部となるノズル４１の取付け構造を図３等を参照して説明する。なお、図３（Ａ）は図２のノズル４１付近の構造を拡大して示し、図３（Ｂ）は図３（Ａ）のＡ−Ａ線断面を示し、図３（Ｃ）はノズル４１の基端側に設けた係合部５７としての凸部５６を拡大して示す。
【００２７】
図３に示すように、先端部本体２１及び先端カバー２２には、先端部本体２１の軸方向に設けた送気送水口４０と直交する方向から送気送水口４０内部に貫通する貫通孔５１が設けられ、この貫通孔５１の深部側の一部、例えば先端部本体２１部分には雄ネジ５２が螺合する雌ネジ部５３が設けられている。
【００２８】
そして、この雌ネジ部５３に螺合する雄ネジ５２を取り付けた状態で、貫通孔５１の先端部本体２１の外側開口部分は充填剤５４にて密閉されている。この場合、貫通孔５１の深部で、送気送水口４０に連通する係合用凹部５５が形成されている。
【００２９】
この係合用凹部５５に係合する係合部５７として、係合用爪部となる凸部５６がノズル４１の基端側の側面に設けてある。
図３（Ｃ）に示すように、この凸部５６はノズル４１の根本（基端）側にかけて突出量が小さくなる斜面５６ａを有し、凸部５６の先端側は、垂直に切り立った壁面５６ｂを成している。従って、図３（Ａ）に示すように係合状態ではノズル４１にその軸の先端側に引っ張る力が作用しても抜けることがない。
【００３０】
また、図３（Ｂ）に示すようにこの凸部５６はノズル４１の軸と垂直な方向にも段差状に突出しているので、ノズル４１の軸の周りに回転させる力が作用してもこれを阻むように機能する。
【００３１】
つまり、内視鏡検査中とか洗滌中等にノズル４１に先端側に引っ張るような力とか、回転力等の外力が加わってもノズル４１が外れることなく係合状態を維持して固定されるようにしている。
【００３２】
また、図３に示したノズル４１の固定状態に対して、このノズル４１を取り外す場合には、図４に示すドライバ等の治具５８で、凸部５６を押圧し凸部５６と凹部５５の係合を解除することができるようにする解除手段を形成している。
なお、図４（Ａ）は図３（Ａ）の状態で、治具５８で凸部５６を押圧している様子を示し、図４（Ｂ）は図４（Ａ）のＢ−Ｂ線断面を示す。
【００３３】
本実施の形態ではノズル４１が装着される送気送水口４０にノズル４１の係合用爪部となる凸部５６に係合する、より具体的には抜け止めして固定する係合用凹部５５を設けることにより、ノズル４１の基端側を送気送水口４０に挿入することにより、凸部５６を係合用凹部５５に係合させて簡単に抜け止め固定でき、しかも図４に示すように治具５８によって凸部５６を押圧することにより簡単に係合を解除してノズル４１を取り外すことができる解除機構を形成していることが特徴となっている。
【００３４】
次に本実施の形態の作用を説明する。
ノズル４１の取り付け時には、送気送水口４０にノズル４１の基端側を挿入する操作を行うと、ノズル４１はそれ自体の弾性と斜面５６ａにより、徐々に凸部５６を内側に変形させつつ挿入され、やがて、図３のように、凸部５６と係合用凹部５５の係合により、ノズル４１は先端部本体２１に固定される。固定の際の作業はこれだけで良い。
【００３５】
このとき、係合用凹部５５と凸部５６の壁面５６ｂが係合するため、ノズル４１を先端側へ引張っても凸部５６は内側へ変形することはなく、ノズル４１を抜去することができない。つまり、ノズル４１が抜けてしまうことはない。
この状態で、内視鏡１により体腔内の検査に使用する。この場合、上述のように検査中にノズル４１が脱落する事故が発生することを確実に解消できる。
【００３６】
このまま、内視鏡１を長期間使用していくと、異物がノズル４１内に引っ掛かるなどして、ノズル４１が詰まることがある。その場合は、ノズル４１を交換しなければならないが、以下の方法をとることで、ノズル４１を抜去できる。
【００３７】
まず、ピンセット等にて充填剤５４を除去し、図５のように、ドライバ等の治具５８で雄ネジ５２を締め付けていく。すると、図４のように、雄ネジ５２は凸部５６に当接し、その後凸部５６を押圧していくため、やがてノズル４１の基端側が変形していく。
【００３８】
そして、凸部５６と係合用凹部５５の係合が解除される。ノズル４１を先端部本体２１より取り外すには、この状態でノズル４１を先端側に引っ張り、抜去すればよい。
また、ノズル４１を再度先端部本体２１に取り付ける際には、ノズル４１を送気送水口４０に差し込み、貫通孔５１に充填剤５４を充填するだけでよい。
【００３９】
従って本実施の形態は以下の効果を有する。
本実施の形態では、ノズル４１を送気送水口４０に差し込むだけで簡単に固定できる。
さらに、係合用凹部５５と凸部５６との係合は解除手段を構成する治具５８により、簡単に解除出来る。
【００４０】
従来のスナップフィット固定のような、ノズル４１自身に回転や引き抜きの力を加えることによってノズル４１を外す場合には、検査中や洗滌消毒中にかかる外力により外れる危険性は少なくないのに対し、本実施の形態では、通常は強固にノズル４１が係合用凹部５５と凸部５６で係合しており、かつ本実施の形態の解除手段を用いないと係合の解除ができないため、ノズル４１自体が内視鏡検査、洗滌消毒時に係る外力によって回転し、脱落するといった可能性を確実に解消できる。
【００４１】
（第２の実施の形態）
次に本発明の第２の実施の形態を図６ないし図９を参照して説明する。図６は本発明の第２の実施の形態におけるノズルの基端側の構成例を示し、図７は外力を加えた場合に変形する様子を示し、図８は偏平の送気送水口にした先端部付近を示し、図９は凸部を設けた側のノズル肉厚を薄くした変形例の断面を示す。
【００４２】
本実施の形態ではノズル４１の基端側の係合部５７を図６（Ａ）ないし（Ｃ）のようにして係合を容易にできるようにしている。なお、図６（Ｄ）は比較のために第１の実施の形態の係合部５７を示している。
【００４３】
本実施の形態では係合部５７の係合用凹部５５への係合を容易にする工夫として図６（Ａ）、（Ｂ）、（Ｃ）のように凸部５６近傍のノズル４１側面にスリット６１ａ、６１ｂ、６１ｃをそれぞれ設け、スリット６１ａ、６１ｂ、６１ｃに隣接するノズル４１の側壁部分が外力によって変位する梁状部６２ａ、６２ｂ、６２ｃに凸部５６を設けて係合部５７を形成している。
その他の構成は第１の実施の形態と同様である。
【００４４】
次に本実施の形態の作用を説明する。
ノズル４１を送気送水口４０に挿入する際、送気送水口４０の壁面が凸部５６を押圧すると、梁状部６２ａ、６２ｂ、６２ｃが内側へ変位するため、上述した第１の実施の形態より軽い力量でのノズル４１の挿入が可能となる。
さらに、係合用凹部５５と凸部５６による係合部５７が係合すれば、弾性変形によってノズル４１はもとの形状に戻る。
【００４５】
本実施の形態は以下の効果を有する。
第１の実施の形態ではノズル４１の挿入の際、圧入傾向にあり、ある程度の力量が必要であったが、梁状部６２ａ、６２ｂ、６２ｃを設けることで、軽い力量が挿入できる。その他は第１の実施の形態と同様の効果を有する。
【００４６】
なお、係合部５７の係合用凹部５５への係合を容易にする工夫として以下の構成としてもよい。
ノズル４１のような円筒の部材は径方向からの外力を加えることで図７のように偏平に変形しやすい。なお、図７（Ａ）及び（Ｂ）は第２の実施の形態におけるノズル４１の基端側の断面及び右側面図を示し、図７（Ｃ）及び（Ｄ）は図７（Ａ），（Ｂ）において、（図７（Ｃ）の）矢印で示す上下方向から外力を加えた場合の偏平の断面及び右側面図を示す。
【００４７】
そこで、図８のように、送気送水口４０を偏平にした楕円形断面とすれば、ノズル４１を送気送水口４０に挿入する際、送気送水口４０壁面が凸部５６を押圧しノズル４１が偏平状に変形しても、偏平形状のままで送気送水口４０の深部に挿入され固定される。
【００４８】
係合用凹部５５と凸部５６とが係合すれば、弾性変形によってノズル４１はもとの形状に戻るため、ノズル４１の機能には不具合を生じない。この場合、送気送水口４０が円形断面の場合には圧入傾向にあり、挿入する際にある程度力量が必要であったが、断面を楕円形状にすることで、軽い力量で挿入できる。
加えて、係合用凹部５５と凸部５６との係合を解除する際の凸部５６を押圧する力量も軽減できるため、係合の解除も容易となる。
なお、送気送水口４０とノズル４１の形状の隙間には、充填剤５４を充填することで送水の漏れ等を防止できる。
【００４９】
さらに、図９（Ａ）のように、ノズル４１の凸部５６を有する側の肉厚を薄くした薄肉部６３を設けてもよい。この場合、薄肉部６３が外力により図９（Ｂ）に示すように薄肉でないノズル４１側面の場合に比べ変形しやすく、容易にノズル４１を送気送水口４０に挿入出来る。加えて、係合用凹部５５と係合部３０の係合を解除する際の凸部５６を押圧する力量も軽減できるため、係合の解除も容易となる。
【００５０】
（第３の実施の形態）
次に本発明の第３の実施の形態を図１０ないし図１５を参照して説明する。図１０は本発明の第３の実施の形態におけるノズル付近の構造を示し、図１１はノズルの基端側部分を斜視図で示し、図１２はノズルを取り外す解除機構を示し、図１３は変形例におけるノズルの基端側を示し、図１４はさらに他の変形例におけるノズルを示し、図１５は治具の変形例を示す。
なお、図１０（Ｂ）は図１０（Ａ）のＣ−Ｃ線断面を示し、図１２（Ｂ）は図１２（Ａ）のＤ−Ｄ線断面を示す。
【００５１】
図１０に示すように、本実施の形態では、先端カバー２２及び先端部本体２１には直交する方向から送気送水口４０に連通する貫通孔６７が設けられ、この送気送水口４０に挿入して固定されるノズル４１にはこの貫通孔６７の深部側の係合用凹部５５と係合する係合部５７を形成する外嵌部材６４を装着する装着部６５が設けてある。
【００５２】
この装着部６５は、ノズル４１の側面より、外嵌部材６４の肉厚分一段深い（或いは肉厚分だけ小さい外径の）形状となっており、この装着部６５に外嵌部材６４を装着することにより同じ外径となるようにいている。
そして、この外嵌部材６４には係合部５７として、外周方向に弾性変形自在な変形部６６が爪状に突出している。
【００５３】
この外嵌部材６４のうち少なくとも変形部６６は弾性変形自在な材料で形成されている。例えば、ステンレス鋼、ばね用ステンレス鋼、ばね鋼、リン青銅、真鍮等の金属材料であるものとする。
【００５４】
変形部６６は、図１１に示すように、先端側の周囲三方をくり貫き、基端側を軸として外側に突出するように折り曲げたものである。変形部６６には基端側でその突出量が小さくなる傾斜面６６ａを有している。
【００５５】
また、図１０に示すように、貫通孔６７の先端部本体２１及び先端カバー２２の外側面側開口部分は閉鎖部材６８にて閉塞されて、密閉されている。
この閉鎖部材６８の材質は、例えばポリサルホン、ポリウレタン、シリコン系の樹脂並びに充填剤、ＲＴＶゴムが適当である。
この貫通孔６７と閉鎖部材６８にて、送気送水口４０内面には前記係合用凹部５５が形成されている。
【００５６】
さらに、内視鏡１とのセットとして、図１２に示すように変形部６６を押圧し変形部６６と係合用凹部５５の係合を解除する治具６９を有する。
その他は第１の実施の形態と同様の構成である。
【００５７】
次に本実施の形態の作用を説明する。
ノズル４１の取り付け時には、ノズル４１の基端側を送気送水口４０に挿入する操作を行うと、ノズル４１は変形部６６自体の弾性により、徐々に変形部６６を内側に変形させつつ挿入され、やがて、図１０のように、変形部３６と係合用凹部５５の係合により、ノズル４１は先端部本体２１に固定される。固定の際の作業はこれだけで良い。
【００５８】
このとき、変形部６６の先端側端面が係合用凹部５５に爪が引っかかるように係合するため、ノズル４１を先端側へ引張っても変形部６６は内側へ変形することはなく、ノズル４１を抜去することができない
第１の実施の形態の作用で説明したような過程を経て、ノズル４１を交換しなければならない場合、以下の方法をとることで、ノズル４１を抜去できる。
【００５９】
まず、閉鎖部材６８を除去し、変形部６６を押圧する治具６９で変形部６６を押圧する。すると、図１２のように変形部６６が変形していく。そして、変形部６６と係合用凹部５５の係合が解除される。ノズル４１を先端部本体２１より取り外すには、この状態でノズル４１を抜去すればよい。
また、ノズル４１を再度先端部本体２１に取り付ける際には、ノズル４１を送気送水口４０に差し込み、閉鎖部材６８を取り付けるだけでよい。
【００６０】
本実施の形態は以下の効果を有する。
本実施の形態は、上記第１或いは第２の実施の形態と同様、ノズル４１を送気送水口４０に差し込むだけで簡単に固定できる。
【００６１】
さらに、本実施の形態では、上記実施の形態での構造よりもより弾性に富んだ金属材料で係合部５７を構成できるので、係合しやすく作業が簡単にできるとともに、係合感に富むため、ノズル４１の固定を視認し易くなるという効果がある。
【００６２】
また、本実施の形態では、図１１に示すように外嵌部材６４にはその前端側に突出する傾斜面６６ａの変形部６６であるが、図１３に示すように周方向に傾斜面６６ａが突出する変形部６６を有する外嵌部材６４にしても良い。
【００６３】
また、図１４（Ａ）、（Ｂ）に示すように、ノズル４１の基端端面に接着等にて一体的に設けた接合部材７０に（係合部５７としての）凸部７１を設けたような変形例の構造にしてもよい。なお、図１４（Ａ）はノズル４１の基端に一体的に設けた接合部材７０を斜視図で示し、図１４（Ｂ）は縦断面図を示す。
【００６４】
この場合、接合部材７０の側面に設けた凸部７１が係合用凹部５５と係合するよう凸部７１近傍の接合部材７０壁面が弾性変形する。また、図１４（Ｃ）に示すように凸部７１近傍に凸部７１近傍が弾性変形し易いよう、スリット７２を設けてもよい。このスリット７２は図６のスリット６１ａ，６１ｂ，６１ｃの構成を採用しても良い。また、図９と同様に薄肉部６３を設けてもよい。
【００６５】
図１４（Ｃ）の構成の場合、図８のように、送気送水口４０の断面形状を楕円としてもよいことは言うまでもない。
【００６６】
また、接合部材７０を接合する場合、図１４（Ｄ）に示すように接合する部分に凹凸部７３を設けることにより、接着等の接合機能が低下した場合にも、ノズル４１側が抜けるのを防止できる構造にしても良い。
【００６７】
なお、治具６９は単なる変形部６６を押し込む棒材でもよいが、図１５のように、先端部本体２１を挟持し、かつ変形部６６を押圧する押圧部７４を有するものであってもよい。なお、図１５（Ｂ）は図１５（Ａ）の治具６９で変形部６６を押圧してノズル４１を取り外す操作を行っている様子を示す。
【００６８】
この場合は押圧部７４を貫通孔６７に挿入し、把持部７５にて先端部本体２１を挟持するだけで簡単に変形部６６の係合を解除することができる。この作業を片手で行う場合には、もう一方の手でノズル４１を抜去することができる。
また、外嵌部材６４はノズル４１に対し、全周嵌合するものでなくとも、ノズル４１に側面に設けた平面や非全周の段差に装着するものでもよい。
【００６９】
（第４の実施の形態）
次に本発明の第４の実施の形態を図１６ないし図１８を参照して説明する。図１６は本発明の第４の実施の形態の内視鏡の先端部付近の構造を示し、図１７は先端部にリング部材を取り付ける様子を示し、図１８は先端部にリング部材を取り付けた状態にしてノズルを取り外す操作を行っている様子を示す。
【００７０】
図１６に示すように、本実施の形態では先端部本体２１の外周には、先端部本体２１を内挿するリング部材７７が設けてある。
このリング部材７７には貫通孔６７の係合用凹部５５に係合する凸部５６（や変形部６６）を押し込むビス７８を螺合する雌ネジ部７９が設けてある。
【００７１】
リング部材７７は雌ネジ部７９を設けるため、ネジ山のつぶれ防止から、金属材料で形成するのが望ましいが、硬質の樹脂であってもよい。
その他は例えば第２の実施の形態（図１０参照）と同様の構成である。
【００７２】
次に本実施の形態の作用を説明する。
まず、図１７（Ａ）から図１７（Ｂ）に示すように、先端部６にリング部材７７を外装する。この際、貫通孔６７と雌ネジ部７９が対向するよう位置合わせをする。そして、図１８に示すように、ドライバ等の治具５８にてビス７８を雌ネジ部７９に螺合させ、そのままビス７８を締め付けていくと、やがてビス７８先端が凸部５６に当接する。
【００７３】
さらにこのまま締め付けていくとノズル４１の根元側が変形し、凸部５６と係合用凹部５５の係合が解除される。ノズル４１を抜去するには、そのままノズル４１を抜き抜けばよい。
【００７４】
本実施の形態は以下の効果を有する。
スペース上、材質上等の理由で先端部本体２１に雌ネジ部５３を設けることができない場合も第１の実施の形態と同様の効果が得られる。雄ネジ５２と雌ネジ部５３、ビス７８と雌ネジ部７９の螺合による解除手段は、ネジの締め付けであるため、大きな力が必要無く、回転させない限り雄ネジ５２、ビス７８が緩むことがないため、絶えず力を加える必要がなく、作業的にも楽である。
上記１〜４の実施の形態において、先端部本体２１は樹脂材でも、金属製で樹脂材を外装しても、先端部本体２１と先端カバー２２を樹脂材で一体に形成してもよい。
【００７５】
（第５の実施の形態）
次に本発明の第５の実施の形態を図１９ないし図２２を参照して説明する。図１９は本発明の第５の実施の形態の内視鏡の先端側の構成を示し、図２０はコネクタ部の構成を示し、図２１は挿入部の内部構成を示し、図２２は鉗子起上機構を備えた内視鏡の概略の構成を示す。
図１９に示すように内視鏡１の挿入部２内部には、先端部６近傍の汚物等を吸引する吸引管路８０が設けてある。
【００７６】
この吸引管路８０は先端部本体２１の先端面で開口する吸引口４５を一端に、外部装置の吸引ポンプ（図示しない）を接続する吸引口金３０（図１参照）を他端に有し、挿入部２、操作部３、ユニバーサルコード部４内を走行する吸引チューブ８１によって構成され、吸引の操作は吸引チューブ８１を中継し操作部３に設けた吸引ボタン１３によって成る。
【００７７】
なお、吸引口４５と吸引チューブ８１は先端部本体２１にて口金となるチャンネルパイプ８２にて接続され、さらに、チャンネルパイプ８２と先端部本体２１は接着等にて接合されており、吸引チューブ８１とチャンネルパイプ８２は糸により緊縛し接着固定されている。
【００７８】
湾曲部７を構成する各湾曲駒２３は隣接するものと金属製のリベット８３で互いに回動自在に連結されている。
【００７９】
次に、上記構成によるとチャンネルパイプ８２は非導電性の樹脂体で形成された先端部本体２１にて支持されているため、他に導通しない金属体がここで電気的に宙に浮く形となっており、先端部６の近傍の体液がチャンネルパイプ８２にまで連続している状態で、高周波処置具（図示しない）にて高周波処置を施した場合、チャンネルパイプ８２でスパークする恐れがある。この場合、患者、術者両者にスパークを及ぼさないように以下の導通手段を設けている。
【００８０】
例えば、チャンネルパイプ８２と、その外側に配置され、金属製部品である湾曲部７を構成する例えば最先端の湾曲駒２３とを電気的に導通させる金属片８４が設けてある。この金属片６４はステンレスやクロメート処理をしたアルミニウム、リン青銅であればよい。
【００８１】
なお、湾曲部７から、図２０に示すコネクタ部５に設けた高周波電流を外部に帰還させる端子部２０までは、可撓管部８、操作部２、ユニバーサルコード４、コネクタ部５の内部の金属部品の連結によって電気的に導通しているため、結果的にチャンネルパイプ８２は金属片８４を介し端子部２０まで電気的に導通した構成となっている。
その他は例えば第１の実施の形態と同様の構成である。
【００８２】
次に本実施の形態の作用を説明する。
内視鏡１の処置の一つとして、高周波スネアによるポリープ切除が行われているが、このポリープ切除は、ポリープを金属線にて緊縛し、高周波電流をその金属線に流すことで、ポリープの緊縛部分を凝固させ、切除している。
【００８３】
この時、高周波スネアと患者は接地されているため、基本的には危険がないが、内視鏡１に一部接地されていない部分があると、そこでスパークし、術者、患者が火傷を起こす可能性があるが、チャンネルパイプ８２は金属片８４にて端子部２０まで電気的に導通しているため、たとえ、先端部６近傍の体液等の導電性の液体がチャンネルパイプ８２まで連続し、チャンネルパイプ８２に電流が流れても、その部分はアースされており、電気的不安定からその部分でスパークすることはない。
【００８４】
本実施の形態は以下の効果を有する。
先端部本体２１は原価低減を目的で樹脂製にしても、金属片８４というような簡単な構成をとることで、電気的不安定を解消でき、原価低減を図りつつ、安全性を確保でき、一挙両得のメリットがある。その他は第１の実施の形態と同様の効果がある。
さらに、本実施の形態において、金属片８４は図示したようなブロック状に限らず、線材等でも構わない。電気配線でもよいことはもちろんである。
【００８５】
また、金属片８４でなく導電性接着剤や導電性塗料にて導通を図ってもよい。
この場合、導電性塗料、接着剤としては、導電性の銀、ニッケル、カーボン等を含有したエポキシ、アクリル、ウレタン系の樹脂であるものとする。
また、湾曲駒２３でなくとも、湾曲駒２３を回動自在に連結するリベット８３でもよい。
また、図２１に示すような構成を採用してもよい。
【００８６】
図２１に示すように、挿入部２内には先端部６を２方向あるいは４方向に湾曲させるための湾曲操作ワイヤ８５が挿通され、この湾曲操作ワイヤ８５の先端は先端部本体２１ないしは最先端の湾曲駒２３に固定され、湾曲操作ワイヤ８５を牽引することで、先端部６を湾曲させることができるようにしている。
【００８７】
図２１に示すようにこの金属製で導電性を有する湾曲操作ワイヤ８５とチャンネルパイプ８２を電気配線８６にて導通させてもよく、また、湾曲操作ワイヤ８５を内挿し、湾曲操作ワイヤ８５の軌道を位置決めするコイルチューブ８７に接続してもよい（図２１ではチャンネルパイプ８２を湾曲操作ワイヤ８５とコイルチューブ８７との両部材に接続した状態で示しているが、この一方の部材のみでもでよい）。
【００８８】
なお、最後端の湾曲駒２３は可撓管部８との境界部分の連結部材８８に固定され、この口金部材８８の内壁ににはコイルチューブ８７の先端がろう付け等で固定されている。
この可撓管部８は外皮チューブ８９の内側に網管９０と螺旋管９１が配置されている。
【００８９】
図２２のように、先端部６に鉗子起上台９２を設けた内視鏡１の場合には、挿入部２内に湾曲操作ワイヤ８５に類似した構成で、操作部３に設けた起上ノブ９３の操作にて鉗子起上台９２を牽引起上させる金属製の鉗子起上ワイヤ９４が挿通され、鉗子起上ワイヤ９４の走行を位置決めし安定した牽引を行なう外装体９５が鉗子起上ワイヤ９４を内挿している。
【００９０】
この外装体９５は例えば内側からＰＴＦＥやＦＥＰ等の樹脂チューブ９６と、金属製のコイル９７の２層、ないしは、金属パイプ９８、樹脂チューブ９６、コイル９７の３層からなっている。
【００９１】
図１９の場合と同様に先端部本体２１を樹脂体にした場合には、この鉗子起上ワイヤ９４、コイル９７、金属パイプ９８の少なくとも一部にチャンネルパイプ８２と接続する電気配線８６を設けてもよい（図２２ではコイル９７に接続した場合を示した）。
【００９２】
（第６の実施の形態）
次に本発明の第６の実施の形態を図２３を参照して説明する。図２３は可撓管部の構成を示す。
図２３に示すように、挿入部２の可撓管部８は螺旋管９１、網管９０、外皮チューブ８９の３層で構成されている。
【００９３】
この螺旋管９１、網管９０は金属材料にて形成されており、なおかつ、挿入部２の両端は、湾曲部７の最後端の湾曲駒２３と連結する先端側連結部材８８と、操作部３の骨格を形成するベース部材９９（図２４参照）に直接的ないしは、金属部品を介し間接的に連結する後端側連結部材１００によって構成されている。この先端側連結部材８８、後端側連結部材１００に対し、螺旋管９１、網管９０の少なくとも一方が接続されている。
【００９４】
また、このベース部材９９はユニバーサルコード部４、コネクタ部５内の金属部品の連結によって端子部２０に接続されている。
【００９５】
さらに、この螺旋管９１とチャンネルパイプ８２を導通させる電気配線８６が挿入部２内に設けられている。その他は例えば第５の実施の形態と同様の構成であり、先端部本体２１が非導電性の例えば樹脂体で形成されている。
【００９６】
次に本実施の形態の作用を説明する。
前記第５の実施の形態と同様に、先端部本体２１が樹脂体でチャンネルパイプ８２に電流が流れても、チャンネルパイプ８２より電気配線８６、螺旋管９１を介し端子部２０まで電流が流れ、内視鏡１の外部に放電される。そのため、電気的不安定からその部分でスパークすることはない。
【００９７】
本実施の形態は第５の実施の形態と同様の効果を有する。
本実施の形態において、チャンネルパイプ８２と導通するのは螺旋管９１でなくとも、金属製の網管９０であってもよい。
また、ユニバーサルコード部４もこの挿入部２と同様の構成のため、チャンネルパイプ８２からの導通がこのユニバーサルコード部４にて図られてもよい。
【００９８】
（第７の実施の形態）
次に本発明の第７の実施の形態を図２４参照して説明する。図２４は操作部の湾曲操作機構付近の構成を示す。
図２４のように、操作部３の骨格を形成するベース部材９９にチャンネルパイプ８２と導通する電気配線８６を設ける。
【００９９】
このベース部材９９は、アルミニウム材にクロメート処理をしたものや、ステンレス材であってもよく、また、導電性の銀やニッケル、カーボン等を含有した樹脂材や、非導通性の樹脂であっても、前記実施の形態中で示した導電性塗料を施したものであってもよい。その他は第６の実施の形態と同様である。
【０１００】
次に本実施の形態の作用を説明する。
前記実施の形態と同様に、チャンネルパイプ８２に電流が流れても、チャンネルパイプ８２より電気配線８６、螺旋管９１を介し端子部２０まで電流が流れ、内視鏡１の外部に放電される。そのため、電気的不安定からその部分でスパークすることはない。
【０１０１】
本実施の形態は第５の実施の形態と同様の効果を有する。
さらに、前述した実施の形態の構成以外に、直接端子部２０に電気配線８６によって導通を図ってもよい。
なお、先端部本体２１を硬質の樹脂体等の非導電性部材にした場合には第１の実施の形態等にも適用できる。
【０１０２】
（第８の実施の形態）
次に本発明の第８の実施の形態を図２５及び図２６を参照して説明する。図２５は第８の実施の形態におけるノズル付近の構造を示し、図２６は治具にてノズルを取り外す操作を行っている様子の断面図を示す。本実施の形態は第１〜第４の変形例に該当する。
【０１０３】
図２５に示すように、先端部本体２１に設けた貫通孔６７の外周面側開口端部は、絶縁体のゴムシート１０２にて密閉し、その貫通孔６７における深部の送気送水口４０に連通する部分で係合用凹部５５が形成されている。
【０１０４】
上記ゴムシート１０２は先端部本体２１に対し接着または、溶着にて、貫通孔５１と外界とは気密となるよう固定されており、このゴムシート１０２自体が弾性を有するもので、ウレタン樹脂、フッ素樹脂、シリコンゴム等にて形成されている。その他は第１の実施の形態と同様の構成である。
【０１０５】
次に本実施の形態の作用を説明する。
図２６のように、ドライバ等の治具５８にてゴムシート１０２を押圧すると、治具５８は押圧により、Ｕ字状に伸長したゴムシート１０２を介して凸部５６を押圧するため、係合用凹部５５と凸部５６の係合は解除される。この治具５８の押圧を止めると、ゴムシート１０２はそれ自身による弾性により元の形状に復元する。
【０１０６】
本実施の形態は以下の効果を有する。
前述した第１の実施の形態の効果に加え、第１の実施の形態のように、充填剤剤５４を再充填する手間がなく、簡単にノズル４１の交換作業ができる。
また、このゴムシート１０２は、シート材でなく、治具５８の押圧力を係合用凹部５５に伝達するものであれば、ブロック材でもかまわない。
さらに、ゴムシート１０２の代わりに、硬化後、弾力性を有する接着充填剤でもよい。
この接着充填剤は、シリコン系接着充填剤、ＲＴＶゴムであるとよい。
【０１０７】
（第９の実施の形態）
次に本発明の第９の実施の形態を図２７を参照して説明する。図２７は第９の実施の形態におけるノズル付近の構造を示す。
【０１０８】
上述じた実施の形態では、送気送水口４０に係合用凹部５５を設け、ノズル４１側に爪部となる凸部５６等を設けたが、本実施の形態ではノズル４１側に係合用凹部を設け、送気送水口４０を設けた先端部本体２１側に爪部となる係合部を設けたものである。
【０１０９】
つまり、図２７に示すようにノズル４１にはその基端側における例えば噴出口４１ａと反対側の側面に係合用凹部５５′が設けられている。また、このノズル４１が挿入されて装着される先端部本体２１の送気送水口４０にはこの送気送水口４０に連通する貫通孔５１には雌ネジ部５３が設けられ、例えば透明の樹脂の雄ネジ５２′が螺合により取り付けられる。
【０１１０】
この雄ネジ５２′の先端はテーパにした斜面により係合用爪部５６′が形成されている。そして、図２７に示すように係合用爪部５６′が送気送水口４０に突出すると共に、最も突出する位置が貫通孔５１の後側壁面となるようにして螺合状態で取り付けられる。また、先端カバー２２における貫通孔５１の出口付近は充填剤５４で閉塞されている。
【０１１１】
この状態で、ノズル４１の基端側を送気送水口４０に挿入することにより、ノズル４１の基端側で係合用爪部５６′に対向する部分が押圧されて変形し、挿入することができ、最深部まで挿入すると、ノズル４１の係合用凹部５５′に係合用爪部５６′が嵌まり込み、図２７の係合した装着状態にすることができる。
【０１１２】
この状態では、係合用爪部５６′が係合用凹部５５′に嵌まり込み、ノズル４１に引っ張る力が作用しても抜けることがない。そして、ノズル４１を交換する必要がある場合には、充填剤５４を除去し、ドライバ等の治具で雄ネジ５２′を反時計周り方向に回転させて、貫通孔５１の出口側に移動させることにより、係合用爪部５６′と係合用凹部５５′との係合を解除でき、その状態でノズル４１を前方に引っ張る操作を行うことにより、取り外すことができる。
【０１１３】
そして、上述したようにして新しいノズル４１を挿入して装着することができる。なお、その他は例えば第１の実施の形態と同様の構成であり、同一の部材には同じ符号を付けてその説明を省略する。
本実施の形態は第１の実施の形態とほぼ同様の効果を有する。
【０１１４】
なお、図２７では係合用爪部５６′は後方向（挿入部の基端方向）にテーパ状に突出し、最も後部が鋭角的となる段差面にした形状にすると共に、ノズル４１の係合用凹部５５′もこれに相似の凹部形状にすることにより、ノズル４１を挿入口４０に挿入することにより図２７に示すように簡単にノズル４１を係合状態に取り付けることができ、ノズル４１を取り外す場合には解除手段を構成する雄ネジ５２′を貫通孔５１の出口側に移動する操作を行う。
【０１１５】
これに対し、この解除手段を取付けにも利用するようにしても良い。
図２８は解除手段を取付けにも利用した変形例の場合を示す。この変形例では図２７に示す係合用爪部５６′を円柱状に突出する例えば樹脂製等の係合用凸部５６″にすると共に、ノズル４１の係合用凹部５５′を前記係合用凸部５６″が嵌入する係合用凹部５５″にしている。その他は図２７の場合と同様の構成である。
【０１１６】
この変形例ではノズル４１の取付けは単に挿入操作で行えないで、雄ネジ５２を貫通孔５１の出口側に移動した状態でノズル４１を送気送水口４０に挿入し、その後に雄ネジ５２を貫通孔５１の深部側に移動して係合状態にする必要があるが、ノズル４１を交換する場合には、解除手段を操作することが必要となるので、第１の実施の形態等に比べてノズル４１の交換作業にそれ程手間がかかることもなく行える。
【０１１７】
この変形例の効果は係合状態に対してノズル４１が先端側に抜けるのを確実に防止できると共に、ノズル４１がその軸の周りに回転される回転方向に対しても先端側に抜けるのを防止する機能と同程度に防止できる。その他は第９の実施の形態とほぼ同様の効果を有する。
なお、この変形例の係合機構を第１の実施の形態等の他の実施の形態に適用しても良い。
【０１１８】
なお、上述した各実施の形態では１つのノズル４１で送気送水を行うようにしているが、本実施の形態はこれに限定されるものでなく、送気のみ（例えば送気管路の供給口に装着）、或いは送水のみ（例えば送水管路の供給口に装着）のノズルにも適用できる。
また、上述した各実施の形態等を部分的に組み合わせて構成される実施の形態等も本発明に属する。
【０１１９】
［付記］
１ａ．挿入部の先端の先端部本体に設けられた流体供給口に装着され、観察窓に向かって開口するノズルを有する内視鏡において、
前記流体供給口とノズルとの一方に係合凹部を形成し、前記流体供給口とノズルとの他方に前記係合凹部に係合し、前記挿入部先端方向への抜けを防止する爪部を形成し、且つ前記係合凹部を介して前記爪部と前記係合凹部との係合を解除する解除手段を設けたことを特徴とする内視鏡。
【０１２０】
１ｂ．挿入部の先端の先端部本体に設けられた流体供給口に装着され、観察窓に向かって開口するノズルを有する内視鏡において、
前記流体供給口内面に係合凹部を形成すると共に、前記ノズルに前記係合凹部に係合し、前記挿入部先端方向への抜けを防止する爪部を形成し、且つ前記係合凹部を介して前記爪部と前記係合凹部との係合を解除する解除手段を設けたことを特徴とする内視鏡。
【０１２１】
１ｃ．先端部本体に設けた送気送水口に嵌合し、観察窓に向かって送気送水を行うノズルを有する内視鏡において、
ノズルには、送気送水口の内面の一部に設けた係合凹部に係合する係合部を設け、内視鏡には、ノズル自体に対する回転、抜去方向の力を伴わず、係合凹部と係合部との係合を解除する解除手段を設けたことを特徴とする内視鏡。
【０１２２】
１ｄ．先端部本体に設けた送気送水口に嵌合し、観察窓に向かって送気送水を行うノズルを有する内視鏡において、
ノズルには、送気送水口の内面の一部に設けた係合凹部に係合する係合部を設け、
内視鏡には、係合凹部と係合部との係合を解除する解除手段を設けたことを特徴とする内視鏡。
【０１２３】
２．付記１ａにおいて、前記係合凹部は前記流体供給口の内面に設けられ、前記爪部は前記ノズルに設けられることを特徴とする内視鏡。
３．付記１ａにおいて、前記係合凹部は前記ノズルに設けられ、前記爪部は前記流体供給口に設けられることを特徴とする内視鏡。
【０１２４】
４．付記１ｃにおいて、係合部が係合凹部と係合するよう該係合部を弾性変形自在に設けたことを特徴とする内視鏡。
５．付記１ｃにおいて、係合部が係合凹部に係合するようノズルの少なくとも送気送水口と嵌合し、係合部を有する部分を弾性変形自在に設けたことを特徴とする内視鏡。
【０１２５】
６．付記５において、該係合部は、ノズルの径方向に弾性変形自在であることを特徴とする内視鏡。
７．付記６において、該係合部は、中心軸断面に沿った方向に弾性変形自在であることを特徴とする内視鏡。
【０１２６】
８．付記６において、該係合部は、径方向断面に沿った方向に弾性変形自在であることを特徴とする内視鏡。
９．付記１ｃにおいて、該係合部はノズルと一体で設けたことを特徴とする内視鏡。
【０１２７】
１０．付記１ｃにおいて、該係合部はノズルと別体で設けたことを特徴とする内視鏡。
１１．付記１０において、ノズルとは別体の外嵌部材に係合部を設け、ノズルには、別体の外嵌部材を装着する装着部を設けたことを特徴とする内視鏡。
【０１２８】
１２．付記１１において、装着部は、ノズルの円筒面を切り欠いた段部であることを特徴とする内視鏡。
１３．付記１２において、段部はノズル全周にわたり切り欠くことを特徴とする内視鏡。
【０１２９】
１４．付記１２において、段部は一定深さ切り欠くことを特徴とする内視鏡。
１５．付記１２において、段部はノズル周上の一部で切り欠くことを特徴とする内視鏡。
【０１３０】
１６．付記１２において、段部は平面状に切り欠くことを特徴とする内視鏡。
１７．付記９において、係合部は、係合凹部と係合するようノズル円筒面の一部を突出形成したことを特徴とする内視鏡。
【０１３１】
１８．付記９において、ノズル円筒面の壁面にはスリットを形成し、該スリット近傍のノズル壁面自体が弾性変形自在な係合部を形成することを特徴とする内視鏡。
【０１３２】
１９．付記１８において、スリットはノズル壁面にコの字状に設けたことを特徴とする内視鏡。
２０．付記１８において、スリットはノズル壁面の基端側を端部に設けたことを特徴とする内視鏡。
【０１３３】
２１．付記２０において、スリットはノズル壁面の基端側を端部に複数設けたことを特徴とする内視鏡。
２２．付記１９において、スリットはノズル壁面の基端側を端部に角度の異なる２辺からなるよう設けたことを特徴とする内視鏡。
【０１３４】
２３．付記５，９において、ノズル円筒面の壁面には係合凹部と係合する凸部を突設することにより弾性変形自在な係合部とすることを特徴とする内視鏡。
２４．付記５，１２において、外嵌部材には係合凹部と係合する凸部を突設することにより弾性変形自在な係合部とすることを特徴とする内視鏡。
【０１３５】
２５．付記５，９において、ノズル円筒面の壁面には一部に肉厚の薄い薄肉部を設け、該薄肉部ないしは、薄肉部近傍のノズル壁面に係合凹部と係合する凸部を突設することにより弾性変形自在な係合部を形成することを特徴とする内視鏡。
２６．付記５，１２において、外嵌部材壁面には一部に肉厚の薄い薄肉部を設け、該薄肉部ないしは、薄肉部近傍に係合凹部と係合する凸部を突設することにより弾性変形自在な係合部を形成することを特徴とする内視鏡。
【０１３６】
２７．付記１ｃにおいて、解除手段は係合部を押圧し、係合凹部と係合部の係合を解除する押圧部材であることを特徴とする内視鏡。
２８．付記２７において、押圧部材は、係合部を押圧するビスであることを特徴とする内視鏡。
【０１３７】
２９．付記２８において、ビスは内視鏡の先端部に螺合することを特徴とする内視鏡。
３０．付記２８において、ビスは内視鏡とは別体で、内視鏡に外挿する外嵌部材に螺合することを特徴とする内視鏡。
【０１３８】
３１．付記３０において、外嵌部材は、内視鏡の先端部に外嵌することを特徴とする内視鏡。
３２．付記３０において、押圧部材は、係合凹部に挿通し、係合部を押圧する棒部材であることを特徴とする内視鏡。
【０１３９】
３３．付記５において、係合凹部と係合するまで弾性変形したノズルを挿嵌するよう、送気送水口は、非円形であることを特徴とする内視鏡。
３４．付記３３において、非円形は楕円であることを特徴とする内視鏡。
【０１４０】
３５．付記９において、ノズルはポリサルホン製であることを特徴とする内視鏡。
３６．付記９において、ノズルはフッ素樹脂製であることを特徴とする内視鏡。
３７．付記３６において、ノズルはＰＴＦＥ製であることを特徴とする内視鏡。
３８．付記３６において、ノズルはＦＥＰ製であることを特徴とする内視鏡。
【０１４１】
３９．付記３６において、ノズルはＰＦＡ製であることを特徴とする内視鏡。
４０．付記１０において、外装部材はステンレス製であることを特徴とする内視鏡。
【０１４２】
４１．付記１０において、外装部材はバネ鋼製であることを特徴とする内視鏡。
４２．付記１０において、外装部材はバネ用ステンレス製であることを特徴とする内視鏡。
４３．付記２３〜２６において、凸部はノズル基端側にかけて小さくなる斜面を有し、凸部の先端側端面はノズル軸方向と垂直となる平面であることを特徴とする内視鏡。
【０１４３】
４４．付記２３〜２６において、凸部はノズル基端側、先端側にかけて小さくなる斜面を有することを特徴とする内視鏡。
４５．付記１ｃで、係合凹部は、内視鏡の先端部外周面から係合部に向かって貫通して設けた貫通孔に、絶縁体にて貫通孔の先端部外周面側を閉鎖することにより形成する係合凹部である内視鏡。
【０１４４】
４６．付記４５において、絶縁体は接着充填剤であることを特徴とする内視鏡。
４７．付記４６において、接着充填剤はＲＴＶゴム材であることを特徴とする内視鏡。
【０１４５】
４８．付記４５において、絶縁体は弾性体であることを特徴とする内視鏡。
４９．付記４６において、接着充填剤は硬化後も弾性を有する接着充填剤であることを特徴とする内視鏡。
５０．付記２７、４５において、該絶縁体を介して押圧し、係合部と係合凹部の係合を解除する押圧部材であることを特徴とする内視鏡。
【０１４６】
５１．挿入部先端に樹脂製の先端部本体と、先端部本体に連通した吸引孔と挿入部内を走行する樹脂製の吸引チューブとを金属製のチャンネルパイプにて接続した吸引管路を有し、内視鏡を電気的に接地する端子部を有する内視鏡において、
チャンネルパイプを端子部に電気的に導通させる導電手段を設けたことを特徴とする内視鏡。
【０１４７】
５２．付記５１において、挿入部に設けられ先端を湾曲させる湾曲部を構成し、前記端子部とは電気的に導通している湾曲駒と、チャンネルパイプとを導電する導電手段であることを特徴とする内視鏡。
５３．付記５２において、湾曲駒のうち、先端側に配した第１の駒と導電する導電手段であることを特徴とする内視鏡。
【０１４８】
５４．付記５１において、螺旋管、網線、外皮の３層によって構成される挿入部のうち、前記端子部とは電気的に導通している螺旋管とチャンネルパイプとを導電する導電手段であることを特徴とする内視鏡。
５５．付記５１において、螺旋管、網線、外皮の３層によって構成される挿入部のうち、前記端子部と電気的に導通している網線とチャンネルパイプとを導電する導電手段であることを特徴とする内視鏡。
【０１４９】
５６．付記５１において、挿入部には、手元側の操作部の操作ノブを回動させるに伴い、先端部本体を牽引し、回動自在に接続した湾曲駒を有する湾曲自在の湾曲部を湾曲させ、前記端子部とは電気的に導通している湾曲操作ワイヤを有しており、チャンネルパイプと湾曲操作ワイヤーとを導通する導通手段であることを特徴とする内視鏡。
５７．付記５１において、手元側の操作部の骨格を形成し、前記端子部とは電気的に導通している金属製のベースにチャンネルパイプと導電する導電手段である内視鏡。
【０１５０】
５８．付記５１において、操作部と、光源装置と接続するコネクタ部との間をつなぎ、螺旋管、網線、外皮の３層によって構成されるユニバーサルコード部のうち、前記端子部とは電気的に導通している螺旋管のチャンネルパイプとを導電する導電手段であることを特徴とする内視鏡。
５９．付記５１において、操作部と、光源装置と接続するコネクタ部との間をつなぎ、螺旋管、網線、外皮の３層によって構成されるユニバーサルコード部のうち、前記端子部とは電気的に導通している網線とチャンネルパイプとを導電する導電手段であることを特徴とする内視鏡。
【０１５１】
６０．挿入部の先端に鉗子起上台を有し、手元側に設けた起上ノブにおける回動操作を起上台に伝達し起上台を起上させ、前記端子部とは電気的に導通する伝達手段を挿入部に内挿した付記５１において、
伝達手段とチャンネルパイプとを導電する導電手段であることを特徴とする内視鏡。
６１．付記６０において、伝達手段は、鉗子起上台を牽引する鉗子起上ワイヤであることを特徴とする内視鏡。
【０１５２】
６２．付記６０において、伝達手段は、鉗子起上台を牽引する鉗子起上ワイヤに外挿し、該ワイヤの走行を規制する外挿部材であることを特徴とする内視鏡。
６３．付記５１において、導電手段は、導線であることを特徴とする内視鏡。
【０１５３】
６４．付記５１において、導電手段は、導電性塗料であることを特徴とする内視鏡。
６５．付記５１において、導電手段は、導電性接着剤であることを特徴とする内視鏡。
【０１５４】
６７．付記５１において、導電手段は、金属片であることを特徴とする内視鏡。
６８．付記６７において、導電手段は、ステンレスであることを特徴とする内視鏡。
【０１５５】
６９．付記６７において、導電手段は、クロメート処理を施したアルミニウムであることを特徴とする内視鏡。
７０．付記６７において、導電手段は、リン青銅であることを特徴とする内視鏡。
【０１５６】
７１．付記６４、６５において、塗料、接着剤は、導電性の銀、ニッケル、カーボンのうち少なくとも一つを含有するエポキシ系樹脂であることを特徴とする内視鏡。
７２．付記６４、６５において、塗料、接着剤は、導電性の銀、ニッケル、カーボンのうち少なくとも一つを含有するアクリル系樹脂であることを特徴とする内視鏡。
７３．付記６４、６５において、塗料、接着剤は、導電性の銀、ニッケル、カーボンのうち少なくとも一つを含有するウレタン系樹脂であることを特徴とする内視鏡。
【０１５７】
（付記５１〜７３に対する背景）
近年、内視鏡の処置の一つとして、高周波スネアによるポリープ切除が行われている内視鏡。このポリープ切除は、ポリープを高周波スネア先端に露出した金属線にて緊縛し、高周波電流をその金属線に流すことで、ポリープの緊縛部分を凝固させ、切除している。
この際、従来の内視鏡では、金属製の先端構成部、湾曲管を介し、挿入部、操作部、ユニバーサルコード部、コネクタ部、高周波回帰端子を経由し、アースが確保されている。
しかし、製造上の原価低減を考えた場合、この先端構成部を樹脂製とする構成が考えられる。
このように、安価で大量に成形したほうが、そのメリットは多大である。
【０１５８】
この場合、以下の課題が発生する。
【０１５９】
高周波スネアによるポリープ切除時、高周波スネアと患者は接地されているため、基本的には危険がないが、内視鏡に一部接地されていない部分があると、そこでスパークし、術者、患者が火傷を起こす可能性がある。
具体的に言うと、原価低減等の目的のために、先端構成部全体を樹脂製にした場合、先端側から高周波回帰端子まで内視鏡全体の導通が図られない。この場合、金属製であるチャンネルパイプだけが電気的に宙に浮く状態になる。チャンネル開口部からチャンネルパイプにかけて水分が付着した状態において、チャンネル内に高周波処置具を挿通し、高周波処置をした場合に、チャンネル内の水分を伝って金属製のチャンネルパイプまで導電し、この部分で不安定な導電状態から起こるスパークが生じ、火傷や、スコープの故障等の不具合が発生する可能性がある。
これを解消するために以下の手段を内視鏡に設けた。
【０１６０】
挿入部先端に樹脂製の先端部本体と、
先端部本体に連通した吸引孔と挿入部内を走行する樹脂製の吸引チューブとを金属製チャンネルパイプにて接続した吸引管路を有し、
内視鏡を電気的に接地する端子部を有する内視鏡において、
電気的に隔離されたチャンネルパイプを端子部に電気的に導通させる導電手段を具備したことを特徴とする内視鏡。
従って、内視鏡に一部接地されていない部分があり、その部分に電流が流れるとスパークし、術者、患者が火傷を起こす可能性があるが、チャンネルパイプは端子部まで電気的に導通してるいため、たとえ、先端部近傍の体液等の導電性の液体がチャンネルパイプまで連続し、チャンネルパイプに電流が流れても、端子部から外部へ電流を帰還させる作用がある。
【０１６１】
（付記５１〜７３の効果）
先端部本体２１を原価低減目的等で樹脂製にしても、金属片等の導通手段を設けることで、高周波処置時に内視鏡の金属部品に対しアースを設けることができるため、電気的不安定を有する部分を解消できる。その結果、原価低減を図りつつ、安全性を確保でき、一挙両得のメリットがある。
【０１６２】
【発明の効果】
以上説明したように本発明によれば、外力によりノズルが外れることなく取り付けできるとともに、簡単に取り付けたノズルを取り外すことができ、しかも原価低減できる内視鏡を提供することができる。
【図面の簡単な説明】
【図１】本発明の第１の実施の形態の内視鏡の外観を示す斜視図。
【図２】挿入部の先端部の構造を示す断面図。
【図３】図２のノズル付近の構造を拡大して示す断面図。
【図４】図３の状態において、ノズルを取り外す様子を示す断面図。
【図５】ノズルを取り外す様子を示す斜視図。
【図６】本発明の第２の実施の形態におけるノズルの基端側の構成例を示す斜視図。
【図７】外力を加える前後でのノズルを示す図。
【図８】断面を楕円形状にした送気送水口にした先端部付近を示す斜視図。
【図９】変形例における凸部を設けた側の肉厚を薄くしたノズルの断面図。
【図１０】本発明の第３の実施の形態におけるノズル付近の構造を示す断面図。
【図１１】ノズルの基端側部分を示す斜視図。
【図１２】ノズルを取り外す様子を示す断面図。
【図１３】変形例におけるノズルの基端側を示す斜視図。
【図１４】さらに他の変形例におけるノズルを示す図。
【図１５】治具の変形例を示す斜視図。
【図１６】本発明の第４の実施の形態の内視鏡の先端部付近の構造を示す断面図。
【図１７】先端部にリング部材を取り付ける様子を示す斜視図。
【図１８】先端部にリング部材を取り付けた状態にしてノズルを取り外す様子を示す説明図。
【図１９】本発明の第５の実施の形態の内視鏡の先端側の構成を示す断面図。
【図２０】コネクタ部の構成を示す断面図。
【図２１】挿入部の内部構成を示す断面図。
【図２２】鉗子起上機構を備えた内視鏡の概略の構成を示す図。
【図２３】本発明の第６の実施の形態における可撓管部の構成を示す断面図。
【図２４】本発明の第７の実施の形態における湾曲操作機構付近の構成を示す断面図。
【図２５】本発明の第８の実施の形態におけるノズル付近の構造を示す断面図。
【図２６】図２５の状態において、ノズルを取り外す様子を示す断面図。
【図２７】本発明の第９の実施の形態におけるノズル付近の構造を示す断面図。
【図２８】第９の実施の形態の変形例におけるノズル付近の構造を示す断面図。
【符号の説明】
１…内視鏡
２…挿入部
３…操作部
４…ユニバーサルコード部
５…コネクタ部
６…先端部
７…湾曲部
８…可撓管部
１２…送気送水ボタン
１３…吸引ボタン
１５…鉗子口
１８…送気口金
２０…端子部
２１…先端部本体
２２…先端カバー
２３…湾曲駒
２６…観察窓
２８…対物レンズ系
３２…撮像ユニット
４０…送気送水口
４１…ノズル
４３…送気送水チューブ
５１…貫通孔
５２…雄ネジ
５３…雌ネジ部
５４…充填剤
５５…係合用凹部
５６…凸部
５８…治具
【図１】
0004087937.tif 000002
【図２】
0004087937.tif 000003
【図３】
0004087937.tif 000004
【図４】
0004087937.tif 000005
【図５】
0004087937.tif 000006
【図６】
0004087937.tif 000007
【図７】
0004087937.tif 000008
【図８】
0004087937.tif 000009
【図９】
0004087937.tif 000010
【図１０】
0004087937.tif 000011
【図１１】
0004087937.tif 000012
【図１２】
0004087937.tif 000013
【図１３】
0004087937.tif 000014
【図１４】
0004087937.tif 000015
【図１５】
0004087937.tif 000016
【図１６】
0004087937.tif 000017
【図１７】
0004087937.tif 000018
【図１８】
0004087937.tif 000019
【図１９】
0004087937.tif 000020
【図２０】
0004087937.tif 000021
【図２１】
0004087937.tif 000022
【図２２】
0004087937.tif 000023
【図２３】
0004087937.tif 000024
【図２４】
0004087937.tif 000025
【図２５】
0004087937.tif 000026
【図２６】
0004087937.tif 000027
【図２７】
0004087937.tif 000028
【図２８】
0004087937.tif 000029